(57)【要約】【課題】伝送路応答の推定精度を向上させることができる伝送路応答推定器を提供する。【解決手段】特定の符号系列が巡回拡張された既知パターンが周期的に挿入された構成のフレームが連続的あるいは断続的に配置された信号を受信する無線システムの受信機に使用される伝送路応答推定器であって、受信信号と既知パターンとの時間相関を算出する相関器１と、時間相関を時系列に記録して１つ以上の遅延波を含む受信信号の遅延プロファイルを生成する遅延プロファイル推定器２と、遅延プロファイルにおける擬似遅延波の時間位置を識別するイメージパス識別器３と、遅延プロファイルにおいて、遅延波に対する擬似レプリカを生成するイメージレプリカ生成器４と、遅延プロファイルから擬似レプリカを減算する減算器５とを備えている。【選択図】図１
2010045431.tif 000002
【特許請求の範囲】
【請求項１】
特定の符号系列が巡回拡張された既知パターン信号が周期的に挿入された構成のフレームが連続的あるいは断続的に配置された信号を受信する無線システムの受信機に使用される伝送路応答推定器であって、
前記信号と前記既知パターン信号との時間相関を算出する相関部と、
前記時間相関を時系列に記録して１つ以上の遅延波を含む前記信号の遅延プロファイルを生成する遅延プロファイル推定部と、
前記遅延プロファイルにおける、前記受信信号と前記既知パターン信号との部分相関による擬似遅延波の時間位置を識別する識別部と、
前記遅延プロファイルにおいて、前記遅延波に対する擬似レプリカを生成する擬似レプリカ生成部と、
前記遅延プロファイルから前記擬似レプリカを減算する擬似遅延波除去部と、
を備えたことを特徴とする伝送路応答推定器。
【請求項２】
前記擬似レプリカ生成部は、前記遅延プロファイルから所定の閾値を超える電力を有する前記遅延波を真の遅延波として識別し、前記真の遅延波について前記擬似レプリカを生成することを特徴とする、請求項１に記載の伝送路応答推定器。
【請求項３】
特定の符号系列が巡回拡張された既知パターン信号が周期的に挿入された構成のフレームが連続的あるいは断続的に配置された信号を受信する無線システムの受信機に使用される伝送路応答推定器であって、
前記信号と前記既知パターン信号との時間相関を算出する第１の相関部と、
前記信号と前記既知パターン信号の一部との時間相関を算出する第２の相関部と、
前記第１の相関部から出力された時間相関を時系列に記録して１つ以上の遅延波を含む前記信号の第１の遅延プロファイルを生成する第１の遅延プロファイル推定部と、
前記第２の相関部から出力された時間相関を時系列に記録して１つ以上の遅延波を含む前記信号の第２の遅延プロファイルを生成する第２の遅延プロファイル推定部と、
前記第１遅延プロファイルにおける前記遅延波の位置と、前記第２の遅延プロファイルにおける前記遅延波の位置とを比較するピーク比較部と、
前記ピーク比較部での比較結果に基づき、前記受信信号と前記既知パターン信号との部分相関による擬似遅延波の位置を識別する識別部と、
前記第１の遅延プロファイルにおいて、前記遅延波に対する擬似レプリカを生成する擬似レプリカ生成部と、
前記第１の遅延プロファイルから前記擬似レプリカを減算する擬似遅延波除去部と、
を備えたことを特徴とする伝送路応答推定器。
【請求項４】
前記識別部は、前記第１の遅延プロファイルと前記第２の遅延プロファイルとの差分を時間毎に算出し、前記差分が所定の閾値を超える時間位置に擬似遅延波が存在するものと識別することを特徴とする、請求項３に記載の伝送路応答器。
【請求項５】
特定の符号系列が巡回拡張された既知パターン信号が周期的に挿入された構成のフレームが連続的あるいは断続的に配置された信号を受信する無線システムの受信機に使用される伝送路応答推定器であって、
前記信号と前記既知パターン信号との時間相関を算出する相関部と、
前記時間相関を時系列に記録して１つ以上の遅延波を含む前記信号の遅延プロファイルを生成する遅延プロファイル推定部と、
前記遅延プロファイルにおける、前記受信信号と前記既知パターン信号との部分相関による擬似遅延波の時間位置を識別する識別部と、
前記遅延プロファイルにおいて、前記擬似遅延波の前記時間位置の信号値をゼロに置換する置換部と、
を備えたことを特徴とする伝送路応答推定器。
【発明の詳細な説明】
【技術分野】
【０００１】
本発明は、伝送路応答推定器に関し、特に符号系列が巡回拡張された特定の既知パターンが周期的に挿入されたフレーム構成を有する無線システムの受信機に使用される伝送路応答推定器に関する。
【背景技術】
【０００２】
一般的に、無線を使った通信／放送システムでは、送信局／放送局から送信された無線信号は、受信機に到達する間に、地形や地物などによって反射・散乱・回折され、これらの複数の電波が互いに合成されることにより、信号波形が歪むことがある。この現象は、一般的にマルチパスと呼ばれている。なお、このマルチパスが発生した際に、送信信号が辿った経路をマルチパス伝送路という。
【０００３】
そこで、受信機では、波形が歪んでしまった受信信号から、送信局／放送局から送信された無線信号の原波形を抽出する処理（等化処理）が行なわれる。等化処理は、デジタル信号処理によって行なわれることが多く、マルチパス伝送路から受けた歪み成分を精度よく推定することが重要となる。
【０００４】
一般に、マルチパス伝送路で発生する歪み成分は、インパルスを入力信号としたときのフィルタ応答となり、時間領域で各パスの伝播遅延、強度減衰、位相回転を表現した、伝送路インパルス応答（遅延プロファイル）や、周波数領域で強度、位相の周波数特性を表現した、伝送路周波数応答を用いて表現することができる。従って、受信機における信号歪みの等価処理の精度は、これらの伝送路応答の推定精度に大きく依存している。
【０００５】
従来、無線システムの受信機における伝送路応答推定器としては、受信信号と既知信号系列である参照信号との複素時間相関を求め、これを時系列に並べたものを遅延プロファイルとして算出するものが知られている（例えば、非特許文献１参照）。
【０００６】
しかしながら、従来の伝送路応答推定器では、ユニークワードが挿入されたフレーム構成を有する受信信号については、遅延プロファイルにイメージパスが生じるために実際に到来するパスのみを識別することができず、伝送路応答の推定精度が著しく劣化してしまうという問題があった。
【０００７】
イメージパスが検出されてしまうことを回避するために、時間領域で相関を求めるのではなく、周波数領域で伝送路応答を推定する伝送路応答推定器が提案されている（例えば、非特許文献２参照）。
【０００８】
上述の伝送路応答推定器では、イメージパスの存在を意識せずに周波数領域での等化を実現できる。しかし、ＰＮ系列が長い場合や、マルチパスによる遅延時間が長い場合、ポイント数の大きなＦＦＴ及びＩＦＦＴが必要となるため、回路規模が非常に大きくなってしまうという問題があった。
【非特許文献１】佐藤拓朗、「ＣＤＭＡ技術の基礎から応用まで」、株式会社リアライズ社、第１章、１．１１節
【非特許文献２】Zhixing Yang, etc.、”Channel estimation of DMB-T,”、IEEE International conference on Communications, Circuits and Systems 2002、June 2002、vol.2、pp.1069-1072
【発明の開示】
【発明が解決しようとする課題】
【０００９】
本発明は、以上の点に鑑みてなされたもので、伝送路応答の推定精度を向上させることができる、伝送路応答推定器を提供することを目的とする。
【課題を解決するための手段】
【００１０】
本発明の一形態に係る伝送路応答推定器は、特定の符号系列が巡回拡張された既知パターン信号が周期的に挿入された構成のフレームが連続的あるいは断続的に配置された信号を受信する無線システムの受信機に使用される伝送路応答推定器であって、前記信号と前記既知パターン信号との時間相関を算出する相関部と、前記時間相関を時系列に記録して１つ以上の遅延波を含む前記信号の遅延プロファイルを生成する遅延プロファイル推定部と、前記遅延プロファイルにおける、前記受信信号と前記既知パターン信号との部分相関による擬似遅延波の時間位置を識別する識別部と、前記遅延プロファイルにおいて、前記遅延波に対する擬似レプリカを生成する擬似レプリカ生成部と、前記遅延プロファイルから前記擬似レプリカを減算する擬似遅延波除去部と、を備えたことを特徴とする。
【発明の効果】
【００１１】
伝送路応答の推定精度を向上させることができる。
【発明を実施するための最良の形態】
【００１２】
以下、図面を参照して本発明の実施の形態を説明する。
【００１３】
（第１の実施の形態）
始めに、図１を参照して、本発明の第１の実施の形態に係わる伝送路応答推定器の構成を説明する。図１は、本発明の第１の実施の形態に係わる伝送路応答推定器の構成を説明する概略ブロック図である。
【００１４】
図１に示すように、本発明の第１の実施の形態に係わる伝送路応答推定器は、受信信号と参照信号との複素時間相関を計算する相関器１と、計算された相関値を遅延時間毎に記録して遅延プロファイルｈ（τ）を算出する遅延プロファイル推定器２と、遅延プロファイルｈ（τ）から擬似相関ピークであるイメージパスの時間位置を識別する、識別部としてのイメージパス識別器３と、イメージパスのレプリカ信号ｐ（τ）を生成する、擬似レプリカ生成部としてのイメージレプリカ生成器４と、遅延プロファイルｈ（τ）からレプリカ信号ｐ（τ）を差し引く、擬似遅延波除去部としての減算器５とから構成されている。
【００１５】
このように構成された伝送路応答推定器において、遅延プロファイルｈ（τ）からイメージパスを除去して真の遅延プロファイルを生成する方法を説明する。まず、参照信号である巡回拡張したユニークワードの構成について、図２を用いて説明する。図２は、巡回拡張したユニークワードをもつフレームの構成を説明する概略図である。
【００１６】
図２に示すように、ユニークワード１０は、前置符号１０１（例えば８２ｂｉｔ）と、特定の符号系列であるＰＮ系列１０２（例えば２５５ｂｉｔ）と、後置符号１０３（例えば８３ｂｉｔ）とから構成されている。ユニークワードの長さはこれらの符号の長さの和として表すことができるので、例えば８２＋２５５＋８３＝４２０ｂｉｔとなる。ここで、前置符号１０１はＰＮ系列の末尾領域１０２ｃ（例えば８２ｂｉｔ）と同じ符号列、後置符号１０３はＰＮ系列の先頭領域１０２ａ（例えば８３ｂｉｔ）と同じ符号列で構成されている。
【００１７】
次に、図２に示すようなユニークワードが周期的に挿入されたフレームが、連続的あるいは断続的に配置された構成の受信信号において、遅延プロファイルｈ（τ）からイメージパスを除去して真の遅延プロファイルを推定する方法を、図３と図４とを用いて説明する。図３は、本発明の第１の実施の形態に係わる伝送路応答推定器における推定した遅延プロファイルの推移を説明する概略図である。なお、図３の各図において、縦軸は信号（複素）振幅を、横軸τは遅延時刻を表している。また、図３には、遅延パスとイメージパスの時間位置のみを示している、また、図４は、遅延プロファイルからイメージパスを除去する手順を説明するフローチャートである。
【００１８】
まず、ステップＳ１において、相関器１において計算された受信信号と参照信号の相関値を遅延プロファイル推定器２において遅延時間毎にメモリなどに記憶し、遅延プロファイルｈ（τ）を生成する。
【００１９】
真の遅延プロファイルは、図３（ａ）に示すように、３本の遅延パスａ１、ａ２、ａ３で構成されている。これに対し、ステップＳ１において遅延プロファイル推定器２で生成された遅延プロファイルｈ（τ）は、図３（ｂ）に示すように、５本の遅延パスｂ１、ｂ２、ｂ３、ｂ４、ｂ５で構成されている。
【００２０】
図２に示すように、ユニークワードは前置符号１０１とＰＮ系列の末尾領域１０２ｃとが同じ符号列であり、ＰＮ系列の先頭領域１０２ａと後置符号１０３とが同じ符号列で構成されている。すなわち、受信信号と参照信号とにおいて、前置符号１０１とＰＮ系列の末尾領域１０２ｃとが重なった時刻、及び、ＰＮ系列の先頭領域１０２ａと後置符号１０３とが重なった時刻において、部分相関が生じてイメージパスが生成される。
【００２１】
換言すれば、ＰＮ領域の中間領域１０２ｂにおいてはイメージパスが生成されることはない。従って、前置符号１０１の先頭からＰＮ系列の先頭領域１０２ａの末尾までの時刻領域（例えば０＜＝ｔ＜１６５の時刻領域）と、ＰＮ系列の末尾領域１０２ｃの先頭から後置符号１０３の末尾までの時刻領域（例えば２５５＜＝ｔ＜４２０の時刻領域）についてのみイメージパスが生成されるため、この時刻領域についてのみイメージパスの除去を行なう。
【００２２】
なお、以下の説明において、前置符号１０１の先頭からＰＮ系列の先頭領域１０２ａの末尾までの時刻領域のプロファイルをＡ（ｔ）、ＰＮ系列の末尾領域１０２ｃの先頭から後置符号１０３の末尾までの時刻領域のプロファイルをＢ（ｔ）と示す。また、ＰＮ系列の中間領域１０２ｂに対応する時間領域のプロファイルをＸ（ｔ）と示す。
【００２３】
次に、ステップＳ２において、ステップＳ１で得られた遅延プロファイルｈ（τ）において、Ａ（ｔ）に存在する遅延パスｂ１，ｂ２をイメージパス識別器３で識別し、これらの２本の遅延パスｂ１，ｂ２に関し、イメージレプリカ生成器４においてレプリカ信号ｂ（τ）を生成する。
【００２４】
レプリカ信号ｂ（τ）の生成は、具体的には、ＰＮ系列の自己相関特性を予め算出しておき、そのイメージパスに対する自己相関係数（Ｃａｃｏｒ）を、レプリカ信号の生成対象となる遅延プロファイルに乗ずることで得られる。
【００２５】
すなわち、Ａ（ｔ）×Ｃａｃｏｒによって、図３（ｃ）に示すようにｂ（ｔ）の２本のパスｃ１，ｃ２を有するレプリカ信号が生成される。なお、パスｃ１は遅延パスｂ１のレプリカであり、パスｃ２は遅延パスｂ２のレプリカである。また、図３（ｃ）においては、生成された２本のレプリカ（パスｃ１，ｃ２）を、符号を反対向きにして示している。（以降の図面についても同様に、生成されたレプリカは、符号を反対向きにして示す。）
次に、ステップＳ３において、遅延プロファイルｈ（τ）のＢ（ｔ）からステップＳ２で生成したレプリカ信号ｂ（τ）を差し引く。すると、図３（ｄ）に示すように、遅延パスｂ４がレプリカとして生成されたパスｃ１によって除去される。すなわち、遅延パスｂ４は遅延パスｂ１のイメージパスであると推定される。一方、レプリカとして生成されたパスｃ２は、同じ時刻に差し引くべき遅延パスがないため、遅延パスｃ２´として残る。レプリカ信号ｂ（τ）を差し引くことによってイメージパスを除去した後のＢ（ｔ）領域のプロファイルを、新たにＢ´（ｔ）とおく。
【００２６】
続いて、ステップＳ４において、ステップＳ３で得られたＢ´（ｔ）に存在する遅延パスｂ５，ｃ２´をイメージパス識別器３で識別し、これらの２本の遅延パスｂ５，ｃ２´に関し、イメージレプリカ生成器４においてレプリカ信号ａ（τ）を生成する。すなわち、Ｂ´（ｔ）×Ｃａｃｏｒによって、図３（ｅ）に示すようにａ（ｔ）の２本のパスｃ３，ｃ４を有するレプリカ信号ａ（τ）が生成される。なお、パスｃ３は遅延パスｂ５のレプリカであり、パスｃ４は遅延パスｃ２´のレプリカである。
【００２７】
次に、ステップＳ５において、遅延プロファイルｈ（τ）のＡ（ｔ）からステップＳ４で生成したレプリカ信号ａ（τ）を差し引く。すると、図３（ｆ）に示すように、遅延パスｂ２がレプリカとして生成されたパスｃ３によって除去される。すなわち、遅延パスｂ２は遅延パスｂ５のイメージパスであると推定される。一方、レプリカとして生成されたパスｃ４は、同じ時刻に差し引くべき遅延パスがないため、遅延パスｃ４´として残る。レプリカ信号ａ（τ）を差し引くことによってイメージパスを除去した後のＡ（ｔ）領域のプロファイルを、新たにＡ´（ｔ）とおく。
【００２８】
最後に、ステップＳ５で得られたプロファイルＡ´（ｔ）、プロファイルＸ（ｔ）、及び、ステップＳ３で得られたプロファイルＢ´（ｔ）を結合することで、イメージパス除去後の遅延プロファイルを得る（ステップＳ６）。
【００２９】
なお、相互相関雑音の影響を低減するために、結合された遅延プロファイルに対し、予め設定された所定の閾値Ｔｈ１（例えば、最大遅延パス電力の―２０ｄＢ）以下のパスをゼロに置換してもよい。この処理を加えることで、適切な閾値を設定しておけば、図３の場合、図３（ｆ）における遅延パスｃ２´，ｃ４´をゼロに置換することができ、最終的に、図３（ａ）に示す真の遅延プロファイルと同じプロファイルを得ることができる。
【００３０】
このように、本実施の形態においては、受信信号と参照信号とから求めた遅延プロファイルについて、イメージパスが発生する遅延時間領域のプロファイルのレプリカを生成し、先の遅延プロファイルからレプリカを差し引くことにより、イメージパスを除去して真の遅延プロファイルとほぼ等しいプロファイルを得ることができるため、伝送路応答の推定精度を向上させることができる。
【００３１】
また、推定精度が向上した遅延プロファイルを利用することで、マルチパスが存在する場合の等化性能を改善することができる。更に、遅延プロファイルのピーク位置で受信する信号のフレーム同期を決定する場合には、高精度かつ高速な同期引き込みが可能となる。更にまた、推定精度のよい遅延プロファイルを用いることで、クロック同期やフレーム同期の追従時においても安定性が増すという利点が得られる。
【００３２】
なお、本実施の形態においては、イメージパスの識別・検出とレプリカ生成・除去とを繰り返し行なっているが、以前に処理したフレームで遅延プロファイルを既に推定しており、イメージパスの位置や強度が既知である場合には、遅延プロファイルに存在する全てのイメージパスに対し、同時にレプリカ生成・除去を行なってもよい。イメージパス除去処理を並列化することで、最終的な遅延プロファイルを推定するまでの計算時間の短縮を図ることができる。
【００３３】
また、参照信号として、相関結果の雑音耐性を高めるためにはユニークワード（例えば４２０ｂｉｔ）全体を用いるのが好ましいが、例えばＰＮ系列（例えば２５５ｂｉｔ）、あるいはＰＮ系列の一部系列を用いてもよい。
【００３４】
更に、本実施の形態においては、ステップＳ１において、遅延プロファイル推定器２では相関器１から出力されるすべての相関ピーク系列を記憶して遅延プロファイルｈ（τ）として出力しているが、有意なパスだけを抽出してもよい。例えば、予め所定の閾値Ｔｈ２を設定しておき、閾値Ｔｈ２以上の電力を持つパスのみを抽出して遅延プロファイルｈ（τ）として出力してもよい。
【００３５】
すなわち、遅延プロファイルに基づきマルチパスの等化処理を行なった場合に、受信品質に影響を及ぼす電力レベルを持つパスのみを抽出し、それ以外のパスを遅延プロファイルから予め排除する。この閾値Ｔｈ２は、例えば変調方式や符号化率、所要誤り率、マルチパスの歪み度合いなどによって決定する。有意なパスのみを抽出して形成された遅延プロファイルを用いてステップＳ２以降の処理を行なうことで、メモリ使用量や計算量を削減することができ、処理時間の短縮が図れる。
【００３６】
ステップＳ１の後だけでなく、真の遅延プロファイルを推定する過程において、遅延プロファイルｈ（τ）に存在する全てのパスから、有意なパス（真の遅延パス）以外のパスを排除する方法を、第１の実施の形態の変形例として以下に説明する。
【００３７】
本実施の形態の伝送路応答推定器の変形例について、図５と図６とを用いて説明する。図５は、本発明の第１の実施の形態の変形例に係わる伝送路応答推定器における推定した遅延プロファイルの推移を説明する概略図である。なお、図５の各図において、縦軸は信号（複素）振幅を、横軸τは遅延時刻を表している。また、図６は、遅延プロファイルからイメージパスを除去する手順を説明するフローチャートである。
【００３８】
なお、以下の説明において、図１から図４を用いて説明した第１の実施の形態と同じ構成要素や同じ手順については同じ符号を付し、説明を省略する。また、受信信号のフレーム構成や参照信号に用いるユニークワードの構成も、図２を用いて説明した第１の実施の形態と同じ構成とし、説明を省略する。
【００３９】
まず、遅延プロファイルｈ（τ）を生成する。（ステップＳ１。図５（ａ）参照。）続くステップＳ２´では、ステップＳ１で得られた遅延プロファイルｈ（τ）において、Ａ（ｔ）に存在する遅延パスｂ１，ｂ２をイメージパス識別器３で識別し、これらの２本の遅延パスｂ１，ｂ２と予め設定された所定の閾値Ｔｈ２とを比較する。閾値Ｔｈ２は、上述の通り、例えば変調方式や符号化率、所要誤り率、マルチパスの歪み度合いなどによって決定される値である。比較の結果、閾値Ｔｈ２以上であると判定されたパス（図５の場合、遅延パスｂ１）についてのみ、イメージレプリカ生成器４においてレプリカ信号ｂ´（τ）を生成する（図５（ｂ）参照）。
【００４０】
次に、ステップＳ３において、遅延プロファイルｈ（τ）のＢ（ｔ）からステップＳ２´で生成したレプリカ信号ｂ´（τ）を差し引く。すると、図５（ｃ）に示すように、遅延パスｂ４がレプリカとして生成されたパスｃ１によって除去される。すなわち、遅延パスｂ４は遅延パスｂ１のイメージパスであると推定される。レプリカ信号ｂ´（τ）を差し引くことによってイメージパスを除去した後のＢ（ｔ）領域のプロファイルを、新たにＢ”（ｔ）とおく。
【００４１】
続いて、ステップＳ３１において、Ｂ”（ｔ）に、予め設定された閾値Ｔｈ３（例えば、最大遅延パス電力の―１０ｄＢ）以上のパスが存在するか否かを判定する。閾値Ｔｈ３以上のパスがＢ”（ｔ）に存在しない場合、ステップＳ６に進み、プロファイルＡ（ｔ）、プロファイルＸ（ｔ）、及び、ステップＳ３で得られたプロファイルＢ”（ｔ）を結合することで、イメージパス除去後の遅延プロファイルを得る。
【００４２】
図５（ｄ）に示すように、遅延パスｂ５は閾値Ｔｈ３以上であるため、ステップＳ３１においは、閾値Ｔｈ３以上のパスがＢ”（ｔ）に存在するものと判定される。この場合、ステップＳ４´に進み、ステップＳ３で得られたＢ”（ｔ）に存在する遅延パスのうち、閾値Ｔｈ３以上のパスについてのみ、イメージレプリカ生成器４においてレプリカ信号ａ´（τ）を生成する。すなわち、図５（ｄ）においては、Ｂ”（ｔ）に存在する遅延パスｂ５に関し、イメージレプリカ生成器４においてレプリカを生成する（図５（ｅ）参照）。
【００４３】
次に、ステップＳ５´において、遅延プロファイルｈ（τ）のＡ（ｔ）からステップＳ４´で生成したレプリカ信号ａ´（τ）を差し引く。すると、遅延パスｂ２がレプリカとして生成されたパスｃ３によって除去される。すなわち、遅延パスｂ２は遅延パスｂ５のイメージパスであると推定される。レプリカ信号ａ´（τ）を差し引くことによってイメージパスを除去した後のＡ（ｔ）領域のプロファイルを、新たにＡ”（ｔ）とおく。
【００４４】
最後に、ステップＳ６に進み、ステップＳ５´で得られたプロファイルＡ”（ｔ）、プロファイルＸ（ｔ）、及び、ステップＳ３で得られたプロファイルＢ”（ｔ）を結合することで、イメージパス除去後の遅延プロファイルを得る（図５（ｆ）参照）。
【００４５】
上述した変形例では、真の遅延プロファイルを推定する過程において、有意なパスを選択してレプリカを生成するようにしているので、雑音やイメージパスからレプリカが生成されることを防止し、伝送路応答の推定精度を向上させることができる。
【００４６】
本願の構成は、従来の伝送路応答推定器との比較で、さらに効果を有することが判る。従来の伝送路応答推定器は、受信信号をｒ（ｔ）、参照信号をｃ（ｔ）とすると、次に示す（１）式の結果をメモリに蓄積し、時系列に並べて遅延プロファイルとして出力する。
【数１】
2010045431.tif 000003
【００４７】
なお、（１）式において、Ｔｓは参照信号ｃ（ｔ）の系列長を示している。（１）式の積分は、離散時間デジタル信号領域では、次に示す（２）式に変形することができる。
【数２】
2010045431.tif 000004
【００４８】
なお、（２）式において、Δｔはサンプル間隔を示している。従って、（２）式は、Ｎタップの遅延線付きのＦＩＲフィルタによりハードウェア実現することができる。一般的に、ＣＤＭＡ（Code Division Multiple Access、符号分割多元接続）方式や、特定の既知パターンを含む無線システムでは、スライディング相関器や、マッチドフィルタによってハードウェア実現される。
【００４９】
一方、無線システムによっては、特定の符号系列（例えばＰＮ（Pseudo random noise）系列など）の前後に巡回拡張して前置符号（cyclic prefix）と後置符号（cyclic postfix）とが挿入された特定の既知パターンが周期的に挿入される場合がある。（以下において、このような既知パターンをユニークワードと示す。）すなわち、ユニークワードにおいては、前置符号とＰＮ系列の末尾領域に同じ符号列が含まれ、後置符号とＰＮ系列の先頭領域に同じ符号列が含まれている。
【００５０】
ここで、信号フレームはユニークワードとフレームボディとから成り、前後に同じ構成のフレームが連続的または断続的に配置されているとすると、上述した非特許文献１に示すような従来の伝送路応答推定器を用いて受信信号と参照信号（ユニークワード）との相関を求めて遅延プロファイルを算出すると、真の遅延パスが存在する時刻以外の時刻に、これらの部分相関による擬似ピーク（以下、イメージパスと示す）が発生してしまう。
【００５１】
すなわち、受信信号に含まれるユニークワードの前置符号と参照信号に含まれるＰＮ領域の末尾領域とが重なった時刻、受信信号に含まれるＰＮ領域の末尾領域と参照信号に含まれるユニークワードの前置符号とが重なった時刻、受信信号に含まれるユニークワードの後置符号と参照信号に含まれるＰＮ領域の先頭領域とが重なった時刻、及び、受信信号に含まれるＰＮ領域の先頭領域と参照信号に含まれるユニークワードの後置符号とが重なった時刻において、イメージパスが発生してしまう。
【００５２】
このように、伝送路応答推定器では、ユニークワードが挿入されたフレーム構成を有する受信信号については、遅延プロファイルにイメージパスが生じるために実際に到来するパスのみを識別することができず、伝送路応答の推定精度が著しく劣化してしまうという問題があった。本願ではこの問題が解消されている。
【００５３】
また、イメージパスが検出されてしまうことを回避するために、時間領域で相関を求めるのではなく、周波数領域で伝送路応答を推定する伝送路応答推定器が用いられる。
【００５４】
この伝送路応答推定器においては、受信信号がＰＮ系列と伝送路インパルス応答との畳み込みであることから、周波数領域に変換した受信信号を既知のＰＮ系列で割ることにより再び時間領域に変換することで、伝送路インパルス応答を得ることができる（次に示す（３）式参照）。
【数３】
2010045431.tif 000005
【００５５】
上述の伝送路応答推定器では、イメージパスの存在を意識せずに周波数領域での等化を実現できる。しかし、ＰＮ系列が長い場合や、マルチパスによる遅延時間が長い場合、ポイント数の大きなＦＦＴ及びＩＦＦＴが必要となるため、回路規模が非常に大きくなってしまう。本願ではこの問題も解消されている。
【００５６】
（第２の実施の形態）
次に、図７を参照して、本発明の第２の実施の形態に係わる伝送路応答推定器の構成を説明する。図７は、本発明の第２の実施の形態に係わる伝送路応答推定器の構成を説明する概略ブロック図である。
【００５７】
第１の実施の形態においては、受信信号と１種類の参照信号とから１つの遅延プロファイルを作成してイメージパスを検出している。一方、本実施の形態においては、受信信号に対し、異なる２種類の参照信号ａ，ｂを用いて２種類の遅延プロファイルを作成し、これらの差分を用いてイメージパスを検出している点が異なる。
【００５８】
参照信号ａは、第１の実施の形態と同様に、符号巡回部（前置符号１０１、ＰＮ系列の先頭領域１０２ａ、ＰＮ系列の末尾領域１０２ｃ、及び後置符号１０３）含むユニークワード全体で構成されている。符号長が長いため、遅延プロファイルの推定精度が高いが、推定結果にイメージパスが含まれてしまうという特徴を有する。一方、参照信号ｂは、ユニークワードから符号巡回部を除いた部分、すなわち、ＰＮ系列の中間領域１０２ｂのみで構成されている。符号長が短いため、遅延プロファイルの推定精度が粗く、相互相関のノイズフロアが大きく変動するが、イメージパスが含まれないという特徴を有する。
【００５９】
これらの特徴を踏まえ、本実施の形態の伝送路応答推定器では、両方の遅延プロファイルの差分によりイメージパスを検出し、参照信号ａと受信信号との相関結果として得られた遅延プロファイルから該イメージパスを排除する。
【００６０】
図７に示すように、本発明の第２の実施の形態に係わる伝送路応答推定器は、受信信号と参照信号ａとの複素時間相関を計算する第１の相関器１１ａと、計算された相関値を遅延時間毎に記録して遅延プロファイルｈ１（τ）を算出する第１の遅延プロファイル推定器１２ａとを有する。また、受信信号と参照信号ｂとの複素時間相関を計算する第２の相関器１１ｂと、計算された相関値を遅延時間毎に記録して遅延プロファイルｈ２（τ）を算出する第２の遅延プロファイル推定器１２ｂとも有する。
【００６１】
遅延プロファイルｈ１（τ）と遅延プロファイルｈ２（τ）とは、ピーク比較器１３に入力されて、これらのピーク位置と電力値とが比較される（図８参照）。図８は、遅延プロファイルｈ１（τ）と遅延プロファイルｈ２（τ）との差異を説明する図である。図８において、横軸は遅延時間を、縦軸は相関電力を表している。
【００６２】
また、図８において、ユニークワード全体を参照信号ａとして受信信号との相関結果から生成した遅延プロファイルｈ１（τ）を、プロファイル２０１ａとして点線で示し、ユニークワードから符号巡回部を除いた部分を参照信号ｂとして受信信号との相関結果から生成した遅延プロファイルｈ２（τ）を、プロファイル２０１ｂとして実線で示している。
【００６３】
図８に示すように、プロファイル２０１ａはパスｄ１，ｄ２，ｄ３の３つのピーク位置以外は相関電力のレベルがほぼゼロである。これに対し、プロファイル２０１ｂは、ノイズの影響を受けて全体的にある程度の相関電力レベルを有するものの、パスｄ１，ｄ２の２つのピーク位置が検出される。
【００６４】
ここで、プロファイル２０１ａとプロファイル２０１ｂとをピーク位置に着目して比較すると、プロファイル２０１ａにのみパスｄ３が検出されている。上述の通り、プロファイル２０１ａには真の遅延パスに加えてイメージパスが検出されてしまうが、プロファイル２０１ｂには真の遅延パスのみが検出されることから、パスｄ３はイメージパスであると推定することができる。
【００６５】
イメージパスの推定は、具体的には、イメージパス識別器１４において行なわれる。すなわち、ピーク比較器１３から入力された２つの遅延プロファイルｈ１（τ），ｈ２（τ）の電力差分Ｄ（τ）を求め（以下の（４）式参照）、Ｄ（τ）と予め設定された所定の閾値Ｔｈ４とを比較し、Ｄ（τ）＞Ｔｈ４となる時刻τにイメージパスが存在すると判定する。
【数４】
2010045431.tif 000006
【００６６】
閾値Ｔｈ４としては、例えば、遅延プロファイルｈ１（τ）中の最大電力パス（例えば、図８においてはパスｄ２）の−１０ｄＢが設定される。このように、電力差分と閾値Ｔｈ４とを比較することによって、相互相関のノイズフロアに埋もれない程度の真の遅延パス及びイメージパスを見逃すことなくイメージパスを推定することができる。
【００６７】
イメージパス識別器１４で推定されたイメージパスを用い、イメージレプリカ生成器１５において、第１の実施の形態と同様にイメージパスのレプリカ信号が生成され、減算器１６で遅延プロファイルｈ１（τ）から生成されたレプリカ信号を差し引くことにより、イメージパス除去後の遅延プロファイルを得る。
【００６８】
このように、本実施の形態においては、ユニークワード全体から構成される参照信号ａと、ユニークワードから符号巡回部を除いた部分で構成される参照信号ｂの２種類の参照信号を用い、それぞれの参照信号と受信信号とから求めた２種類の遅延プロファイルを比較することより、イメージパスの検出精度を更に向上させることができ、伝送路応答の推定精度の向上につながる。また、イメージパスと真の遅延パスの遅延時刻が一致している場合にも、イメージパス成分を正確に検出することができる。
【００６９】
なお、第２の実施の形態の変形例として、図９に示す構成の伝送路応答推定器が考えられる。図９は、本発明の第２の実施の形態の変形例に係わる伝送路応答推定器の構成を説明する概略ブロック図である。
【００７０】
上述した第２の実施の形態においては、２つの相関器１１ａ，１１ｂのそれぞれに参照信号ａ，ｂを入力し、受信信号との複素時間相関を算出したが、図９に示す変形例では、ゲート回路１７で生成されるゲート信号により相関器１１´で算出する相関積分区間を制御することにより、１つの相関器１１´から遅延プロファイルｈ１（τ）と遅延プロファイルｈ２（τ）とを同時に算出し、それぞれの算出結果を第１の遅延プロファイル推定器１２ａと第２の遅延プロファイル推定器１２ｂとに出力する。
【００７１】
相関器１１´は、例えば図１０に示す構成を有する。図１０は、相関器１１´の構成を説明する概略回路図である。ずなわち、受信信号がシフトレジスタ１００１ａ〜１００１（Ｎ−１）に入力され、各タップ出力と参照信号系列｛Ｃ１，Ｃ２，Ｃ３，…，ＣＮ｝との複素乗算がそれぞれ加算器１００２ａ〜１００２Ｎで行なわれた後、加算器１００３ａ〜１００３（Ｎ−１）で加算される。
【００７２】
図１０に示すような構成にすることで、遅延プロファイルｈ１（τ）には全ての乗算器出力と加算器出力を用い、遅延プロファイルｈ２（τ）には必要な箇所の乗算器出力と加算器出力とを抽出して用いることができる。
【００７３】
このように、参照信号と受信信号との複素時間相関を算出する相関器１１´を共用し、相関出力を取り出すタイミングをゲート回路１７で制御することで、回路規模を削減することができる。
【００７４】
（第３の実施の形態）
次に、図１１を参照して、本発明の第３の実施の形態に係わる伝送路応答推定器の構成を説明する。図１１は、本発明の第３の実施の形態に係わる伝送路応答推定器の構成を説明する概略ブロック図である。
【００７５】
第１の実施の形態においては、遅延パスを検出した遅延時刻のパスに関してレプリカを生成し、これを遅延プロファイルから減ずることによりイメージパスを除去している。一方、本実施の形態においては、遅延パスを検出した遅延時刻のパスに関してイメージパスの位置（遅延時刻）を識別し、該時刻のプロファイルをゼロに置換することによりイメージパスを除去している点が異なる。
【００７６】
遅延広がりが小さい環境では、イメージパスが生じる遅延時刻の位置に電力の大きい真の遅延パスが存在しない。従って、このような環境では、そこに現れた相関ピークをイメージパスと認識することができる。本実施の形態の伝送路応答推定器は、このような環境に適用可能である。なお、以下の説明において、図１に示す第１の実施の形態に係わる伝送路応答推定器と同じ構成要素については同じ符号を付し、説明を省略する。
【００７７】
図１１に示すように、本発明の第３の実施の形態に係わる伝送路応答推定器は、イメージパスのレプリカ信号を生成するイメージレプリカ生成器４と、遅延プロファイルｈ（τ）からレプリカ信号を差し引く減算器５との替わりに、置換部としてのパス置換器２１を有する。
【００７８】
すなわち、相関器１において受信信号と参照信号との複素時間相関を計算し、計算結果を遅延プロファイル推定器２において遅延時刻毎に記録して遅延プロファイルｈ（τ）を得る。続くイメージパス識別器３において、遅延プロファイルｈ（τ）におけるイメージパスの位置（遅延時刻）を識別し、パス置換器２１で遅延プロファイルｈ（τ）における該時刻の信号値をゼロに置換して、最終的なイメージパス除去後の遅延プロファイルを得る。
【００７９】
このように、本実施の形態においては、イメージパスを検出した時刻の信号値をゼロに置換しているので、レプリカ生成のための回路が不要となり、回路構成が容易、かつ、回路規模や消費電力の低減を図ることができる。
【００８０】
また、アナログフロントエンドで発生する熱雑音や様々な歪み（位相雑音、周波数オフセット、ＩＱインバランスなど）、デジタル部のクロックずれなどの影響により、比較的電力の大きいパスの推定精度が劣化している場合、この結果を用いてイメージパスのレプリカを生成すると、誤差伝播のためにイメージパスを除去するどころか人為的に誤差を加えてしまう可能性がある。このような場合に、イメージパスを識別した時刻の信号を直接ゼロに置換することで、遅延プロファイルの推定精度の劣化を防止することができる。
【００８１】
なお、本実施の形態の概念を、第２の実施の形態の伝送路応答推定器に適用することも可能である。すなわち、図１２に示すように、２種類の相関器１１ａ，１１ｂの出力の差分を用い、ピーク比較器１３とイメージパス識別器１４でイメージパスを検出した後に、パス置換器２１によって、イメージパスの検出時刻の信号をゼロに置換する。図１２は、本発明の第３の実施の形態の変形例に係わる伝送路応答推定器の構成を説明する概略ブロック図である。このような構成にすることで、イメージパスの位置をより正確に特定した上で信号のゼロ置換によってイメージパスを除去することができ、簡易な構成で推定精度の劣化を防止することができる。
【００８２】
また、概念を更に拡張すると、イメージレプリカ生成器とパス置換器の両方を備えた構成の伝送路応答推定器も考えられる。すなわち、遅延プロファイル推定器の推定結果、及び、イメージパス識別器の識別結果に従い、有意なパスの最大遅延時刻が所定のイメージパス発生時刻よりも短い場合は、パス置換器を用いてイメージパスをゼロに置換する。逆に、有意なパスの最大遅延時刻が所定のイメージパス発生時刻よりも長い場合は、イメージレプリカ生成器を用いてイメージパスのレプリカを生成し、除去する。このように、イメージレプリカ生成器とパス置換器とのどちらか一方を状況に応じて切り替えて使用することができる。
【００８３】
なお、本発明の伝送路応答推定器のすべての実施の形態に関し、伝送路の遅延広がりが大きい環境では、前のフレームの信号が続くフレームのユニークワード部分に遅延して漏れこむ量が大きいため、相関器出力のピーク精度が幾分弱まる場合がある。この場合、本発明の伝送路応答推定器を用いて前フレームの遅延プロファイルを推定した結果と、前フレームのフレームボディ（データ部）の復調結果を再変調した信号とを用い、次フレームに漏れこむ遅延信号のレプリカを生成し、次フレームに遅延プロファイル推定の前に該遅延信号のレプリカを差し引くことで、伝送路応答推定の制度劣化を防止することができる。
【００８４】
上述した３つの実施の形態においては、ユニークワードのフレーム構成として、特定の符号系列の前後に巡回拡張した前置符号と後置符号とが含まれている場合について説明したが、特定の符号系列とその前に巡回拡張した前置符号だけが含まれている構成のユニークワードの場合にも本発明の伝送路応答推定器を適用することができる。この場合、イメージパスの出現範囲は、遅延プロファイルの後半の領域に限定されることになる。
【００８５】
また、同様に、特定の符号系列とその後に巡回拡張した後置符号だけが含まれている構成のユニークワードの場合にも本発明の伝送路応答推定器を適用することができる。この場合、イメージパスの出現範囲は、遅延プロファイルの前半の領域に限定されることになる。
【００８６】
更に、特定の符号系列としてＰＮ系列を用いて説明したが、符号の性質として高い自己相関特性と低い相互相関特性とを有する任意の符号列を用いてもよい。
【００８７】
なお、本発明は、上述した実施の形態に限定されるものではなく、本発明の要旨を変えない範囲において、種々の変更、改変等が可能である。また、上記実施の形態に開示されている複数の構成要素を適宜組み合わせて種々の構成を形成することができる。例えば、上述の実施の形態に示される全構成要素から幾つかの構成要素を削除してもよい。更に、異なる実施の形態にわたる構成要素を適宜組み合わせてもよい。
【図面の簡単な説明】
【００８８】
【図１】本発明の第１の実施の形態に係わる伝送路応答推定器の構成を説明する概略ブロック図。
【図２】巡回拡張したユニークワードをもつフレームの構成を説明する概略図。
【図３】本発明の第１の実施の形態に係わる伝送路応答推定器における推定した遅延プロファイルの推移を説明する概略図。
【図４】遅延プロファイルからイメージパスを除去する手順を説明するフローチャート。
【図５】本発明の第１の実施の形態の変形例に係わる伝送路応答推定器における推定した遅延プロファイルの推移を説明する概略図。
【図６】遅延プロファイルからイメージパスを除去する手順を説明するフローチャート。
【図７】本発明の第２の実施の形態に係わる伝送路応答推定器の構成を説明する概略ブロック図。
【図８】遅延プロファイルｈ１（τ）と遅延プロファイルｈ２（τ）との差異を説明する図。
【図９】本発明の第２の実施の形態の変形例に係わる伝送路応答推定器の構成を説明する概略ブロック図。
【図１０】相関器１１´の構成を説明する概略回路図。
【図１１】本発明の第３の実施の形態に係わる伝送路応答推定器の構成を説明する概略ブロック図
【図１２】本発明の第３の実施の形態の変形例に係わる伝送路応答推定器の構成を説明する概略ブロック図。
【符号の説明】
【００８９】
１…相関器、２…遅延プロファイル推定器、３…イメージパス識別器、４…イメージレプリカ生成器、５…減算器、
【図１】
2010045431.tif 000007
【図２】
2010045431.tif 000008
【図３】
2010045431.tif 000009
【図４】
2010045431.tif 000010
【図５】
2010045431.tif 000011
【図６】
2010045431.tif 000012
【図７】
2010045431.tif 000013
【図８】
2010045431.tif 000014
【図９】
2010045431.tif 000015
【図１０】
2010045431.tif 000016
【図１１】
2010045431.tif 000017
【図１２】
2010045431.tif 000018